【手続補正書】
【提出日】平成20年3月24日(2008.3.24)
【手続補正１】
【補正対象書類名】明細書
【補正対象項目名】特許請求の範囲
【補正方法】変更
【補正の内容】
【特許請求の範囲】
【請求項１】
撮影画面を複数行×複数列で表される複数の測光領域に分割し、これら分割された測光領域ごとの輝度データを得る測光手段と、
前記撮影画面の各部の焦点状態から、該撮影画面内における焦点を合わせる焦点検出領域を検出する焦点検出手段と、
カメラ本体の撮影姿勢を検出する姿勢検出手段と、
前記姿勢検出手段により、前記撮影姿勢が横位置であると検出された場合には、前記分割された複数の測光領域から得られる輝度データに基づき、該測光領域の行毎の平均輝度データを算出し、該撮影姿勢が縦位置であると検出された場合には、該分割された複数の測光領域から得られる輝度データに基づき、該測光領域の列毎の平均輝度データを算出する、輝度データ算出手段と、
前記焦点検出領域における輝度データと、前記行毎の平均輝度データ又は前記列毎の平均輝度データとを比較する輝度比較手段と、
前記輝度比較手段による比較を行った結果、前記行毎の平均輝度データ又は前記列毎の平均輝度データから前記焦点検出領域における輝度データを差し引いた差分値が所定量以上である場合は、逆光状態であると判断して補正量を算出し、前記撮影画面全体の平均輝度データに、該補正量を加味した被写体輝度を算出する被写体輝度算出手段と、
前記被写体輝度算出手段により算出された被写体輝度に基づき露出制御を行う露出制御手段とを有することを特徴とするカメラ。
【請求項２】
撮影画面を複数行×複数列で表される複数の測光領域に分割し、これら分割領域ごとの輝度データを得る測光手段と、
前記撮影画面の各部の焦点状態から、該撮影画面内における焦点を合わせる焦点検出領域を検出する焦点検出手段と、
カメラ本体の撮影姿勢を検出する姿勢検出手段と、
前記姿勢検出手段により、前記撮影姿勢が横位置であると検出された場合には、前記分割された複数の測光領域から得られる輝度データに基づき、該測光領域の行毎の平均輝度データを算出し、該撮影姿勢が縦位置であると検出された場合には、該分割された複数の測光領域から得られる輝度データに基づき、該測光領域の列毎の平均輝度データを算出する、輝度データ算出手段と、
前記行毎の平均輝度データ又は前記列毎の平均輝度データに基づき、行方向又は列方向における平均輝度データの変化率を算出する輝度変化率算出手段と、
前記変化率が所定値以上である場合には、逆光状態であると判断して補正量を算出し、前記撮影画面全体の平均輝度データに、該補正量を加味した被写体輝度を算出する被写体輝度算出手段と、
前記被写体輝度算出手段により算出された被写体輝度に基づき露出制御を行う露出制御手段とを有することを特徴とするカメラ。
【請求項３】
撮影画面を複数行×複数列で表される複数の測光領域に分割し、これら分割領域ごとの輝度データを得る測光手段と、
前記撮影画面の各部の焦点状態から、該撮影画面内における焦点を合わせる焦点検出領域を検出する焦点検出手段と、
カメラ本体の撮影姿勢を検出する姿勢検出手段と、
前記姿勢検出手段により、前記撮影姿勢が横位置であると検出された場合には、前記分割された複数の測光領域から得られる輝度データに基づき、該測光領域の行毎の平均輝度データを算出し、該撮影姿勢が縦位置であると検出された場合には、該分割された複数の測光領域から得られる輝度データに基づき、該測光領域の列毎の平均輝度データを算出する、輝度データ算出手段と、
前記行毎の平均輝度データ又は前記列毎の平均輝度データに関する近似的曲線を算出する近似曲線算出手段と、
予め用意された形状パターンのうち、所定の形状パターンと前記近似的曲線とが近似している場合には、逆光状態であると判断して補正量を算出し、前記撮影画面全体の平均輝度データに、該補正量を加味した被写体輝度を算出する被写体輝度算出手段と、
前記被写体輝度算出手段により算出された被写体輝度に基づき露出制御を行う露出制御手段とを有することを特徴とするカメラ。
【請求項４】
所定値以上の平均輝度データを有する列又は行を除いた領域の平均輝度データを、前記撮影画面全体の平均輝度データとすることを特徴とする請求項１乃至３のいずれか１つに記載のカメラ。
【請求項５】
被写界に対して発光を行うフラッシュ手段を更に有し、
前記被写体輝度算出手段により算出される被写体輝度が所定の輝度よりも低い場合、又は、
前記逆光状態であると判断された場合には、前記フラッシュ手段は、発光を行うことを特徴とする請求項１乃至４のいずれか１つに記載のカメラ。
【請求項６】
前記分割された測光領域の形状は、６角形であることを特徴とする請求項１乃至５のいずれか１つに記載のカメラ。
【手続補正２】
【補正対象書類名】明細書
【補正対象項目名】００１４
【補正方法】変更
【補正の内容】
【００１４】
【課題を解決するための手段】
上記の課題を解決するために、本願発明のカメラは、撮影画面を複数行×複数列で表される複数の測光領域に分割し、これら分割された領域ごとの輝度データを得る測光手段と、前記撮影画面の各部の焦点状態から、該撮影画面内における焦点を合わせる焦点検出領域を検出する焦点検出手段と、カメラ本体の撮影姿勢を検出する姿勢検出手段と、前記姿勢検出手段により、前記撮影姿勢が横位置であると検出された場合には、前記分割された複数の測光領域から得られる輝度データに基づき、該測光領域の行毎の平均輝度データを算出し、該撮影姿勢が縦位置であると検出された場合には、該分割された複数の測光領域から得られる輝度データに基づき、該測光領域の列毎の平均輝度データを算出する、輝度データ算出手段と、前記焦点検出領域における輝度データと、前記行毎の平均輝度データ又は前記列毎の平均輝度データとを比較する輝度比較手段と、前記輝度比較手段による比較を行った結果、前記行毎の平均輝度データ又は前記列毎の平均輝度データから前記焦点検出領域における輝度データを差し引いた差分値が所定量以上である場合は、逆光状態であると判断して補正量を算出し、前記撮影画面全体の平均輝度データに、該補正量を加味した被写体輝度を算出する被写体輝度算出手段と、前記被写体輝度算出手段により算出された被写体輝度に基づき露出制御を行う露出制御手段とを有する。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
本願発明のカメラは、撮影画面を複数行×複数列で表される複数の測光領域に分割し、これら分割領域ごとの輝度データを得る測光手段と、前記撮影画面の各部の焦点状態から、該撮影画面内における焦点を合わせる焦点検出領域を検出する焦点検出手段と、カメラ本体の撮影姿勢を検出する姿勢検出手段と、前記姿勢検出手段により、前記撮影姿勢が横位置であると検出された場合には、前記分割された複数の測光領域から得られる輝度データに基づき、該測光領域の行毎の平均輝度データを算出し、該撮影姿勢が縦位置であると検出された場合には、該分割された複数の測光領域から得られる輝度データに基づき、該測光領域の列毎の平均輝度データを算出する、輝度データ算出手段と、前記行毎の平均輝度データ又は前記列毎の平均輝度データに基づき、行方向又は列方向における平均輝度データの変化率を算出する輝度変化率算出手段と、前記変化率が所定値以上である場合には、逆光状態であると判断して補正量を算出し、前記撮影画面全体の平均輝度データに、該補正量を加味した被写体輝度を算出する被写体輝度算出手段と、前記被写体輝度算出手段により算出された被写体輝度に基づき露出制御を行う露出制御手段とを有する。
【手続補正９】
【補正対象書類名】明細書
【補正対象項目名】００２１
【補正方法】変更
【補正の内容】
【００２１】
本願発明のカメラは、撮影画面を複数行×複数列で表される複数の測光領域に分割し、これら分割領域ごとの輝度データを得る測光手段と、前記撮影画面の各部の焦点状態から、該撮影画面内における焦点を合わせる焦点検出領域を検出する焦点検出手段と、カメラ本体の撮影姿勢を検出する姿勢検出手段と、前記姿勢検出手段により、前記撮影姿勢が横位置であると検出された場合には、前記分割された複数の測光領域から得られる輝度データに基づき、該測光領域の行毎の平均輝度データを算出し、該撮影姿勢が縦位置であると検出された場合には、該分割された複数の測光領域から得られる輝度データに基づき、該測光領域の列毎の平均輝度データを算出する、輝度データ算出手段と、前記行毎の平均輝度データ又は前記列毎の平均輝度データに関する近似的曲線を算出する近似曲線算出手段と、予め用意された形状パターンのうち、所定の形状パターンと前記近似的曲線とが近似している場合には、逆光状態であると判断して補正量を算出し、前記撮影画面全体の平均輝度データに、該補正量を加味した被写体輝度を算出する被写体輝度算出手段と、前記被写体輝度算出手段により算出された被写体輝度に基づき露出制御を行う露出制御手段とを有する。
【手続補正１０】
【補正対象書類名】明細書
【補正対象項目名】００２２
【補正方法】削除
【補正の内容】
【手続補正１１】
【補正対象書類名】明細書
【補正対象項目名】００２９
【補正方法】変更
【補正の内容】
【００２９】
測光用センサ２６は、例えばＣＭＯＳやＣＣＤといったエリアタイプの蓄積型光電変換素子からなり、図３（ａ）に示すように、格子状に複数分割された受光センサ部を有し、撮影画面の略全体を視野としている。本実施形態では、受光視野内を９列×７行＝６３に分割した例で説明するが、以降の説明において、図３（ｂ）に示すように、各列を上からＹ１〜Ｙ７と、各行を左からＸ１〜Ｘ９と符号を付す。また、６３分割された各受光部に対しては、ＰＤ１１〜ＰＤ７９と符号を付す。
【手続補正１２】
【補正対象書類名】明細書
【補正対象項目名】００６６
【補正方法】変更
【補正の内容】
【００６６】
ステップ（１１１）
第１モータードライバ４３に制御信号を出力して、第１モーター４４を駆動し、主ミラー１３およびサブミラー１４を跳ね上げる。
【手続補正１３】
【補正対象書類名】明細書
【補正対象項目名】００８２
【補正方法】変更
【補正の内容】
【００８２】
ステップ（１５４）
ステップ（１５４）にて、焦点検出領域の情報を読み込む。図７にて説明した撮影構図では、人物の顔領域に焦点調節されることが望ましいので、画面中心部、すなわち測光センサ２６の受光部ＰＤ４５が見込む被写界領域を焦点検出領域としてその情報を読み込む。
【手続補正１４】
【補正対象書類名】明細書
【補正対象項目名】００９１
【補正方法】変更
【補正の内容】
【００９１】
関数の例としては、露出補正量ΔＢｖ＝０．５×（Ｌｆ−ＭＡＸ（ＹｎＸｎ））
が挙げられる。但し、Ｌｆは焦点検出領域とした受光部より得られる個別輝度データであり、ＭＡＸ（ＹｎＸｎ）はＹ１〜Ｙ７の各行に対応した平均輝度データおよびＸ１〜Ｘ９の各列に対応した平均輝度データのうちの最大の輝度データである。尚、前記（１５７）のステップにて所定量以上大きい輝度データがないと判別された場合は逆光シーンではないので（１５８）のステップは行わない。よってこの場合は露出補正量ΔＢｖ＝０であることと同等である。
【手続補正１５】
【補正対象書類名】明細書
【補正対象項目名】０１１５
【補正方法】変更
【補正の内容】
【０１１５】
なお、ステップ（２５９）にて所定量以上大きい輝度データがないと判別された場合は逆光シーンではないので、ステップ（２６０）は実行しない。つまり、この場合は、露出補正量ΔＢｖ＝０であることと同等である。
【手続補正１６】
【補正対象書類名】明細書
【補正対象項目名】０１５４
【補正方法】変更
【補正の内容】
【０１５４】
ステップ（４５６）
ステップ（４５２）にて演算したＹ１〜Ｙ７の各行に対応した平均輝度データおよびステップ（４５３）にて演算したＸ１〜Ｘ９の各列に対応した平均輝度データの値に関する近似的曲線を算出する。
【手続補正１７】
【補正対象書類名】明細書
【補正対象項目名】０１５８
【補正方法】変更
【補正の内容】
【０１５８】
図１６において、（ａ）はＹ１〜Ｙ７の各行に対応した平均輝度データが殆ど一定値である代表形状パターンであり、（ｂ）はＹ１行側の平均輝度データがＹ７行側の平均輝度データに向かってほぼ単調に減少する代表形状パターンである。
【手続補正１８】
【補正対象書類名】明細書
【補正対象項目名】０１５９
【補正方法】変更
【補正の内容】
【０１５９】
また、（ｃ）はＹ１行側の平均輝度データがＹ７行側の平均輝度データに向かってほぼ単調に増加する代表形状パターンであり、（ｄ）はＹ４行付近に最大の平均輝度データがあって、Ｙ１行側及びＹ７行側に向かって平均輝度データが減少する代表形状パターンである。さらに、（ｅ）はＹ４行付近に最小の平均輝度データがあって、Ｙ１行側およびＹ７行側に向かって平均輝度データが増加する代表形状パターンである。
【手続補正１９】
【補正対象書類名】明細書
【補正対象項目名】０１６０
【補正方法】変更
【補正の内容】
【０１６０】
一方、図１７には、Ｘ１〜Ｘ９の各列に対応した平均輝度データのなす形状に対して用意する代表形状パターンの例である。図１７において、（ａ）はＸ１〜Ｘ９の各列に対応した平均輝度データが殆ど一定値の代表形状パターンであり、（ｂ）はＸ１列側の平均輝度データがＸ９列側の平均輝度データに向かってほぼ単調減少する代表形状パターンである。また、（ｃ）はＸ１列側の平均輝度データがＸ９列側の平均輝度データに向かってほぼ単調増加する代表形状パターンであり、（ｄ）はＸ５列付近に最大の平均輝度データがあって、Ｘ１列側およびＸ９列側に向かって平均輝度データが減少する代表形状パターンである。さらに、（ｅ）はＸ５列付近に最小の平均輝度データがあって、Ｘ１列側およびＸ９列側に向かって平均輝度データが増加する代表形状パターンである。
【手続補正２０】
【補正対象書類名】明細書
【補正対象項目名】０１６７
【補正方法】変更
【補正の内容】
【０１６７】
なお、ステップ（４５８）にて逆光シーンではないと判別した場合は、ステップ（４５９）は実行しない。したがって、この場合は露出補正量ΔＢｖ＝０であることと同等である。